(57)【要約】【課題】入力された画像信号に基づく画像の表示を開始する前に、選択されている画像入力端子を認識することが可能な表示装置を提供する。【解決手段】表示装置（プロジェクター１）は、画像信号を入力する複数の画像入力端子３０ａと、選択されている画像入力端子を記憶する入力端子記憶部（選択入力端子情報２３ａ）と、選択されている画像入力端子から入力された画像信号に基づく入力画像を生成する入力画像生成部（画像処理部３２）と、起動時に選択されている画像入力端子に応じた第１画像（ロゴ画像データ）を取得する第１画像取得部（制御部２０）と、起動時において、第１画像を表示した後、入力画像を表示する表示部（画像投写部１０）と、を備える。【選択図】図１
2015184298.tif 000002
【特許請求の範囲】
【請求項１】
画像信号を入力する複数の画像入力端子と、
選択されている前記画像入力端子を記憶する入力端子記憶部と、
選択されている前記画像入力端子から入力された画像信号に基づく入力画像を生成する入力画像生成部と、
起動時に前記選択されている前記画像入力端子に応じた第１画像を取得する第１画像取得部と、
起動時において、前記第１画像を表示した後、前記入力画像を表示する表示部と、
を備えることを特徴とする表示装置。
【請求項２】
請求項１に記載の表示装置であって、
前記第１画像取得部は、前記画像入力端子に応じて表示内容が異なる前記第１画像を取得することを特徴とする表示装置。
【請求項３】
請求項１または２に記載の表示装置であって、
前記第１画像取得部が取得する前記第１画像には、前記選択されている前記画像入力端子の名称が含まれていることを特徴とする表示装置。
【請求項４】
請求項１乃至３のいずれか一項に記載の表示装置であって、
前記選択されている前記画像入力端子に画像信号が入力されているか否かを検出する入力信号検出部をさらに備え、
前記第１画像取得部は、前記入力信号検出部が検出した画像信号の入力の有無の情報に応じて前記第１画像を取得することを特徴とする表示装置。
【請求項５】
請求項４に記載の表示装置であって、
前記第１画像取得部が取得した前記第１画像には、前記選択されている前記画像入力端子における画像信号の入力の有無が表されていることを特徴とする表示装置。
【発明の詳細な説明】
【技術分野】
【０００１】
本発明は、表示装置に関する。
【背景技術】
【０００２】
従来、所定の画像の情報を記憶する記憶手段と、その情報を書き換える書換手段を備え、電源オン時に記憶手段に記憶された情報に基づく画像（ロゴ画像）を表示する表示制御装置が開示されている（特許文献１）。また、複数の映像入力端子を備え、選択された映像入力端子に映像信号が入力されているか否かを検出し、入力されていない場合に、当該映像入力端子に映像信号が入力されていないことを示す確認画像を表示する画像表示装置が開示されている（特許文献２）。
【先行技術文献】
【特許文献】
【０００３】
【特許文献１】特開２００３−２０２８５１号公報
【特許文献２】特開２０１１−１２８２５７号公報
【発明の概要】
【発明が解決しようとする課題】
【０００４】
プロジェクター等の表示装置において、起動時のシステムを初期化している間に初期画像（ロゴ画像）を投写するものが知られている。このロゴ画像をしばらく表示し、システムの初期化が終了した後、画像入力端子に入力されている画像信号に基づく画像を表示する。このため、システムの初期化が終了し、ロゴ画像の表示を終了した後でないと、ユーザーは、起動時に選択されている画像入力端子を確認することができないという問題があった。特許文献１や特許文献２には、起動時のロゴ画像表示において、選択されている画像入力端子を確認する方法については開示されていない。
【課題を解決するための手段】
【０００５】
本発明は、上述の課題の少なくとも一部を解決するためになされたものであり、以下の形態または適用例として実現することが可能である。
【０００６】
［適用例１］本適用例に係る表示装置は、画像信号を入力する複数の画像入力端子と、選択されている前記画像入力端子を記憶する入力端子記憶部と、選択されている前記画像入力端子から入力された画像信号に基づく入力画像を生成する入力画像生成部と、起動時に前記選択されている前記画像入力端子に応じた第１画像を取得する第１画像取得部と、起動時において、前記第１画像を表示した後、前記入力画像を表示する表示部と、を備えることを特徴とする。
【０００７】
このような表示装置によれば、画像信号を入力する複数の画像入力端子を備えている。入力画像生成部は、選択されている画像入力端子から入力された画像信号に基づく入力画像を生成する。第１画像取得部は、起動時に選択されている画像入力端子に応じた第１画像を取得する。表示部は、起動時において、第１画像を表示した後、入力画像を表示する。これにより、ユーザーは、起動時に第１画像を視認することによって、入力画像が表示される前に、選択されている画像入力端子を認識することが可能になる。
【０００８】
［適用例２］上記適用例に係る表示装置において、前記第１画像取得部は、前記画像入力端子に応じて表示内容が異なる前記第１画像を取得することを特徴とする。
【０００９】
このような表示装置によれば、第１画像取得部は、画像入力端子に応じて表示内容が異なる第１画像を取得する。これにより、ユーザーは、第１画像の表示内容を視認することによって、入力画像が表示される前に、選択されている画像入力端子を認識することが可能になる。
【００１０】
［適用例３］上記適用例に係る表示装置において、前記第１画像取得部が取得する前記第１画像には、前記選択されている前記画像入力端子の名称が含まれていることを特徴とする。
【００１１】
このような表示装置によれば、第１画像取得部が取得する第１画像には、選択されている画像入力端子の名称が含まれている。これにより、ユーザーは、第１画像を視認して、選択されている画像入力端子の名称を認識することが可能になる。
【００１２】
［適用例４］上記適用例に係る表示装置において、前記選択されている前記画像入力端子に画像信号が入力されているか否かを検出する入力信号検出部をさらに備え、前記第１画像取得部は、前記入力信号検出部が検出した画像信号の入力の有無の情報に応じて前記第１画像を取得することを特徴とする。
【００１３】
このような表示装置によれば、入力信号検出部は、選択されている画像入力端子に画像信号が入力されているか否かを検出する。第１画像取得部は、画像信号の入力の有無に応じた第１画像を取得する。これにより、ユーザーは、第１画像を視認して、選択されている画像入力端子に画像信号が入力されているか否かを認識することができる。
【００１４】
［適用例５］上記適用例に係る表示装置において、前記第１画像取得部が取得した前記第１画像には、前記選択されている前記画像入力端子における画像信号の入力の有無が表されていることを特徴とする。
【００１５】
このような表示装置によれば、第１画像取得部が取得した第１画像には、選択されている画像入力端子における画像信号の入力の有無が表されている。これにより、ユーザーは、第１画像を視認して、選択されている画像入力端子に画像信号が入力されているか否かを認識することができる。
【００１６】
また、上述した表示装置が、表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１７】
【図１】プロジェクターの概略構成を示すブロック図。
【図２】ロゴ画像データが表すロゴ画像および入力画像に基づく画像の説明図であり、（ａ）は、選択入力端子情報がコンピューター入力端子の場合の説明図、（ｂ）は、選択入力端子情報がビデオ入力端子の場合の説明図。
【図３】画像信号の入力有無を表示したロゴ画像の説明図であり、（ａ）は、画像信号が入力されている場合のロゴ画像、（ｂ）は、画像信号が入力されていない場合のロゴ画像。
【図４】プロジェクターの起動処理のフローチャート。
【発明を実施するための形態】
【００１８】
（実施形態）
以下、表示装置の実施形態として、選択されている画像入力端子に応じて、表示する初期画像（「ロゴ画像」ともいう。）を変更するプロジェクターについて説明する。
【００１９】
図１は、プロジェクター１の概略構成を示すブロック図である。
図１に示すように、プロジェクター１は、画像投写部１０、制御部２０、操作受付部２１、光源制御部２２、記憶部２３、画像信号入力部３０、入力信号検出部３１、画像処理部３２、ＯＳＤ処理部３３等を備えている。
【００２０】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面ＳＣに画像を表示する。
【００２１】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリックス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２３】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。
【００２４】
操作受付部２１は、ユーザーのキー操作を受け付ける操作パネル等であり、ユーザーがプロジェクター１に対して各種指示を行うための複数の操作キーを備えている。本実施形態の操作受付部２１が備える操作キーとしては、電源のオン・オフを切り換えるための電源キー、画像信号が入力される画像入力端子を切り換えるための入力切換キー、各種設定用のメニュー画像を表示させるメニューキー、メニュー画像における項目の選択等に用いられる方向キー、選択した項目を確定させるための決定キー等がある。
【００２５】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（リモートコントローラー）（図示せず）を操作受付部として用いた構成としてもよい。この場合、リモコンは、ユーザーの操作内容に応じた赤外線等の操作信号を発信し、図示しないリモコン信号受信部がこれを受信して制御部２０に伝達する。
【００２６】
光源制御部２２は、制御部２０の指示に基づいて、光源装置１１に対する電力の供給と停止とを制御し、光源装置１１の点灯および消灯を切り換える。
【００２７】
記憶部２３は、不揮発性のメモリーからなり、選択されている画像入力端子を示す情報である選択入力端子情報２３ａや、プロジェクター１が起動されてシステムを初期化している最中に表示する初期画像の画像データであるロゴ画像データ群２３ｂ等を記憶する。ユーザーによって操作受付部２１に備わる入力切換キーが操作されて、画像入力端子が切り換えられると、選択された画像入力端子の情報が、選択入力端子情報２３ａに記憶される。選択入力端子情報２３ａを記憶した記憶部２３が、入力端子記憶部に相当する。
【００２８】
ロゴ画像データ群２３ｂには、画像入力端子毎に異なる複数のロゴ画像データが記憶されている。ロゴ画像データ（ロゴ画像）が、第１画像に相当する。ここで、ロゴ画像データについて説明する。ロゴ画像データに基づくロゴ画像は、プロジェクター１がシステム初期化中に投写される。システムの初期化が終了すると、入力画像信号に基づく画像（「入力画像」ともいう。）が投写される。
【００２９】
図２は、ロゴ画像データが表すロゴ画像および入力画像に基づく画像の説明図であり、（ａ）は、選択入力端子情報２３ａがＣｏｍｐｕｔｅｒ１（コンピューター入力端子１）の場合の説明図であり、（ｂ）は、選択入力端子情報２３ａがＶｉｄｅｏ１（ビデオ入力端子１）の場合の説明図である。
【００３０】
図２（ａ）には、選択入力端子情報２３ａがＣｏｍｐｕｔｅｒ１（コンピューター入力端子１）の場合のロゴ画像Ｇ１および入力画像Ｇ２が表示されている。ロゴ画像Ｇ１では、例えばロゴ文字列（ロゴマーク）として「ＡＢＣ  Ｃｏｒｐｏｒａｔｉｏｎ」という文字列が表示されている。ロゴ文字列の下部に、選択入力端子情報２３ａが示す「Ｃｏｍｐｕｔｅｒ１」という画像入力端子名が表示されている。入力画像Ｇ２では、選択されている画像入力端子から入力されている画像信号に基づく画像が表示されている。そして、入力画像Ｇ２の左上には、選択入力端子情報２３ａが示す「Ｃｏｍｐｕｔｅｒ１」という画像入力端子名が表示されている。入力画像Ｇ２における画像入力端子名は、初期化後や画像入力端子切換後、所定の時間表示されてもよいし、常時表示されてもよい。また、画像入力端子名を表示するか否かをメニュー画像によって設定可能としてもよい。なお、画像入力端子名の表示位置は、入力画像Ｇ２の左上に限定するものではない。
【００３１】
図２（ｂ）では、選択入力端子情報２３ａがＶｉｄｅｏ１（ビデオ入力端子１）の場合のロゴ画像Ｇ３および入力画像Ｇ４が表示されている。ロゴ画像Ｇ３では、ロゴ文字列として「ＡＢＣ  Ｃｏｒｐｏｒａｔｉｏｎ」という文字列が表示されている。ここで、当該ロゴ文字列は、ロゴ画像Ｇ１と比較して書体が異なっている。また、ロゴ画像Ｇ３の背景色は、ロゴ画像Ｇ１と異なっている。そして、ロゴ文字列の下部に、選択入力端子情報２３ａである「Ｖｉｄｅｏ１」という画像入力端子名が表示されている。入力画像Ｇ４では、選択されている画像入力端子から入力されている画像信号に基づく画像が表示されている。そして、入力画像Ｇ４の左上には、選択入力端子情報２３ａの情報である「Ｖｉｄｅｏ１」という画像入力端子名が表示されている。
【００３２】
上述したように、ロゴ画像Ｇ１とロゴ画像Ｇ３とは、選択されている画像入力端子名、ロゴ文字列の書体、および、ロゴ画像の背景色が異なっている。これらにより、プロジェクター１の使用者（ユーザー）は、ロゴ画像を視認することで、選択されている画像入力端子を認識することができる。なお、表示される画像入力端子名は、略語であってもよいし、図記号であってもよい。
【００３３】
図１に戻り、画像信号入力部３０は、複数の画像入力端子３０ａを備えている。これらの画像入力端子３０ａには、パーソナルコンピューターやビデオ再生装置等、図示しない外部の画像供給装置が接続される。そして、外部の画像供給装置から画像入力端子３０ａに、各種形式の画像信号が入力される。画像入力端子３０ａとしては、例えば、Ｃｏｍｐｕｔｅｒ１端子、Ｃｏｍｐｕｔｅｒ２端子、Ｖｉｄｅｏ１端子、Ｖｉｄｅｏ２端子、Ｓ−Ｖｉｄｅｏ端子、ＨＤＭＩ（登録商標）（High−Definition Multimedia Interface）端子等がある。
【００３４】
制御部２０からの指示に基づいて、画像信号入力部３０は、画像入力端子３０ａを切り換える。そして、画像信号入力部３０は、選択した画像入力端子３０ａに入力されている画像信号を、入力信号検出部３１および画像処理部３２に出力する。このとき、選択された画像入力端子３０ａの情報が、制御部２０によって、記憶部２３の選択入力端子情報２３ａに記憶される。なお、図１では、画像入力端子３０ａは４つとしているが、４つに限定するものではない。
【００３５】
入力信号検出部３１は、Ａ／Ｄコンバーター等を有して構成され、画像信号入力部３０から入力される画像信号の有無を判別する。具体的には、画像信号の水平同期周波数、垂直同期周波数、リフレッシュレート等を検出することで、画像信号を検出する。入力信号検出部３１が検出した画像信号の有無の情報は、制御部２０に通知される。
【００３６】
ここで、選択された画像入力端子３０ａに画像信号が入力されている場合、および、入力されていない場合のロゴ画像について説明する。
図３は、画像信号の入力有無を表示したロゴ画像の説明図であり、（ａ）は、画像信号が入力されている場合のロゴ画像であり、（ｂ）は、画像信号が入力されていない場合のロゴ画像である。
【００３７】
図３（ａ）では、選択入力端子情報２３ａがＣｏｍｐｕｔｅｒ１（コンピューター入力端子１）の場合のロゴ画像Ｇ５が表示されている。ロゴ画像Ｇ５では、ロゴ文字列（ロゴマーク）として「ＡＢＣ  Ｃｏｒｐｏｒａｔｉｏｎ」という文字列が表示されている。ロゴ文字列の下部に、選択入力端子情報２３ａが示す「Ｃｏｍｐｕｔｅｒ１」という画像入力端子名、および、画像信号が有ることを示す「入力信号あり」という文字列が表示されている。
【００３８】
図３（ｂ）では、選択入力端子情報２３ａがＣｏｍｐｕｔｅｒ１（コンピューター入力端子１）の場合のロゴ画像Ｇ６が表示されている。ロゴ画像Ｇ６では、ロゴ文字列として「ＡＢＣ  Ｃｏｒｐｏｒａｔｉｏｎ」という文字列が表示されている。ロゴ文字列の下部に、選択入力端子情報２３ａが示す「Ｃｏｍｐｕｔｅｒ１」という画像入力端子名、および、画像信号が無いことを示す「入力信号なし」という文字列が表示されている。
【００３９】
図１に戻り、画像処理部３２は、画像信号入力部３０から入力される画像信号を、液晶ライトバルブ１２Ｒ，１２Ｇ，１２Ｂの各画素の階調を表す画像情報、即ち各画素に印加する駆動電圧を規定するための画像情報に変換する。さらに、画像処理部３２は、制御部２０の指示に基づいて、変換した画像情報に対して、明るさ、コントラスト、シャープネス、色合い等の画質を調整するための画質調整処理等を行い、処理後の画像情報をＯＳＤ処理部３３に出力する。画像処理部３２が、入力画像生成部に相当する。画像処理部３２から出力された画像情報をＯＳＤ処理部３３を介して投写表示する画像投写部１０が、表示部に相当する。
【００４０】
画像処理部３２は、プロジェクター１のシステム初期化中は、制御部２０からの指示に基づいて、選択されている画像入力端子３０ａに応じたロゴ画像データを入力し、フレームメモリー（図示せず）に展開することで、初期画像（ロゴ画像）として出力する。
【００４１】
ＯＳＤ処理部３３は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３３は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３３は、必要なＯＳＤ画像情報をＯＳＤメモリーから読み出し、入力画像上の所定の位置にＯＳＤ画像が重畳されるように、画像処理部３２から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３３は、画像処理部３２から入力される画像情報を、そのまま液晶駆動部１４に出力する。
【００４２】
液晶駆動部１４が、ＯＳＤ処理部３３から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じた画像光に変調され、この画像光が投写レンズ１３等の投写光学系から投写される。
【００４３】
次に、プロジェクター１が電源オンされて、起動する際に行う起動処理について説明する。
図４は、本実施形態に係るプロジェクター１の起動処理のフローチャートである。
【００４４】
操作受付部２１に備わる電源キーが押下され、プロジェクター１が起動（電源オン）されると、制御部２０は、光源制御部２２に指示を出して、光源（光源装置１１）を点灯させる（ステップＳ１０１）。制御部２０は、プロジェクター１のシステムの初期化処理を開始する（ステップＳ１０２）。制御部２０は、記憶部２３の選択入力端子情報２３ａを読み込んで、選択されている画像入力端子３０ａの情報を取得する（ステップＳ１０３）。
【００４５】
制御部２０は、選択されている画像入力端子３０ａに対応するロゴ画像データを、記憶部２３のロゴ画像データ群２３ｂから取得する（ステップＳ１０４）。このときの制御部２０が、第１画像取得部に相当する。制御部２０は、取得したロゴ画像データを画像処理部３２に入力し、ロゴ画像を投写させる（ステップＳ１０５）。制御部２０は、入力信号検出部３１に指示を出し、選択されている画像入力端子３０ａに画像信号が入力されているか否かの判定を開始させる（ステップＳ１０６）。
【００４６】
制御部２０は、画像信号の入力有無の判定が終了したか否かを判断する（ステップＳ１０７）。具体的には、制御部２０は、入力信号検出部３１から、画像信号の入力有無の判定が終了したことを示す通知を受信したか否かを判断する。画像信号の入力有無の判定が終了していない場合（ステップＳ１０７：ＮＯ）、制御部２０は、初期化処理が終了したか否かを判断する（ステップＳ１０９）。画像信号の入力有無の判定が終了した場合（ステップＳ１０７：ＹＥＳ）、制御部２０は、判定結果に対応したロゴ画像データを記憶部２３から取得し、画像処理部３２に入力し、ロゴ画像を投写させる（ステップＳ１０８）。そして、ステップＳ１０９に移行する。
【００４７】
初期化処理が終了していなければ（ステップＳ１０９：ＮＯ）、ステップＳ１０７に移行する。初期化処理が終了していれば（ステップＳ１０９：ＹＥＳ）、制御部２０は、画像処理部３２に指示を出して、ロゴ画像を消去させる（ステップＳ１１０）。そして、制御部２０は、画像処理部３２に指示を出して、入力画像に基づく画像の投写を開始させる（ステップＳ１１１）。そして、プロジェクター１の起動処理を終了する。
【００４８】
上述した実施形態によれば、以下の効果が得られる。
（１）プロジェクター１は、画像信号を入力する複数の画像入力端子３０ａを備えている。プロジェクター１は、操作受付部２１に備わる入力切換キーが押下されると、画像入力端子３０ａを切り換える（選択する）。選択された画像入力端子３０ａの情報は、記憶部２３の選択入力端子情報２３ａに記憶される。また、記憶部２３には、複数の画像入力端子３０ａのそれぞれに対応した、複数のロゴ画像データ（ロゴ画像データ群２３ｂ）が記憶されている。プロジェクター１が起動され、システムの初期化が開始されると、制御部２０は、選択されている画像入力端子３０ａに対応したロゴ画像データを取得し、画像処理部３２にロゴ画像（Ｇ１，Ｇ３）を表示させる。そして、システムの初期化が終了すると、制御部２０は、選択されている画像入力端子３０ａに入力されている画像信号に基づく画像（入力画像）の表示を、画像処理部３２に開始させる。これにより、ユーザーは、プロジェクター１の起動時にロゴ画像（Ｇ１，Ｇ３）を視認することによって、入力画像が表示される前に、選択されている画像入力端子３０ａを認識することが可能になるため、有益である。例えば、ユーザーは、通常使用する画像入力端子３０ａと異なった画像入力端子３０ａが選択されている場合に、ロゴ画像（Ｇ１，Ｇ３）を視認することですぐに認識することができる。よって、ユーザーは、初期化終了後に画像入力端子３０ａを切り換える必要があることを、初期化中（ロゴ画像表示中）に認識し、準備することが可能になる。
【００４９】
（２）プロジェクター１の記憶部２３に記憶されている複数のロゴ画像データが表すロゴ画像（Ｇ１，Ｇ３）は、それぞれ表示内容が異なっている。表示内容としては、ロゴ文字列の書体や背景色が変更されている。ここで書体とは、ゴシック体や明朝体などのフォントの種類、または、斜体や太字などのフォントのスタイルの両方を意味する。これにより、ユーザーは、ロゴ画像（Ｇ１，Ｇ３）を視認して、選択されている画像入力端子３０ａを直感的に認識することが可能になる。例えば、プロジェクター１の光源装置１１の点灯が開始されたばかりのときには、投写画像が暗い場合がある。このような場合にも、ロゴ文字列（ロゴマーク）の書体や背景色の違いにより、ユーザーは、早く、選択されている画像入力端子３０ａの違いを認識することができる。
【００５０】
（３）プロジェクター１の記憶部２３に記憶されている複数のロゴ画像データが表すロゴ画像（Ｇ１，Ｇ３）には、選択されている画像入力端子３０ａの名称が含まれている。これにより、ユーザーは、ロゴ画像（Ｇ１，Ｇ３）を視認して、選択されている画像入力端子３０ａの名称を認識することが可能になる。
【００５１】
（４）プロジェクター１の入力信号検出部３１は、選択されている画像入力端子３０ａに画像信号が入力されているか否かを検出する。制御部２０は、記憶部２３から画像信号の入力の有無に応じたロゴ画像データを取得し、ロゴ画像（Ｇ５，Ｇ６）を表示させる。ロゴ画像（Ｇ５，Ｇ６）には、選択されている画像入力端子３０ａに入力信号があるか否かが表示される。これにより、ユーザーは、ロゴ画像（Ｇ５，Ｇ６）を視認して、選択されている画像入力端子３０ａに画像信号が入力されているか否かを認識することができる。そして、画像信号が入力されていない場合には、ユーザーは、画像供給装置の画像出力状態等を確認して対応することが可能になる。
【００５２】
なお、上述した実施形態に限定されず、種々の変更や改良等を加えて実施することが可能である。変形例を以下に述べる。
【００５３】
（変形例１）上記実施形態では、制御部２０は、選択されている画像入力端子３０ａに応じて記憶部２３に記憶されているロゴ画像データを読み出して、画像処理部３２に入力するものとした。しかし、選択されている画像入力端子３０ａに応じたロゴ画像データの取得は、記憶されたロゴ画像データの読み出しに限定するものではなく、ロゴ画像データを生成するものとしてもよい。例えば、ロゴ画像用の各種の文字列データを記憶する文字列記憶部（図示せず）等を有し、当該文字列データを合成してロゴ画像データを生成するロゴ画像生成部（図示せず）を有する構成としてもよい。そして、生成したロゴ画像データを画像処理部３２に入力し、表示させるものとしてもよい。
【００５４】
（変形例２）上記実施形態では、記憶部２３に記憶される画像入力端子３０ａ毎のロゴ画像データには、ロゴ文字列（ロゴマーク）が含まれており、その書体が変更されている。さらに、ロゴ画像の背景色が変更されている。しかし、選択されている画像入力端子３０ａを認識するためのロゴ画像の表示内容の変更は、これらに限定されるものではない。例えばロゴ文字列（ロゴマーク）自体を変更してもよいし、ロゴマークの形状を変更してもよい。また、ロゴ文字列（ロゴマーク）の色を変更してもよい。
【００５５】
（変形例３）上記実施形態では、ロゴ画像データには、選択されている画像入力端子３０ａの名称が含まれているが、画像入力端子３０ａの名称は含まれなくてもよい。画像入力端子３０ａの名称は含まれなくても、ユーザーは、ロゴ画像のロゴ文字列（ロゴマーク）や背景色等で、画像入力端子３０ａが異なることを認識することが可能である。
【００５６】
（変形例４）上記実施形態では、記憶部２３のロゴ画像データ群２３ｂの各ロゴ画像データは、画像入力端子３０ａ毎に全て異なる表示内容であるものとしたが、必ずしも全て異なる表示内容でなくてもよい。例えば、コンピューター系入力端子、ビデオ系入力端子といったように、画像入力端子３０ａの系列によって、表示内容を変更してもよい。
【００５７】
（変形例５）上記実施形態では、選択されている画像入力端子３０ａに画像信号が入力されているか否かは、ロゴ画像に文字列で表示するものとした。例えば、ロゴ画像Ｇ５，Ｇ６に示すように、画像信号が有ることを示す「入力信号あり」という文字列を表示したり、画像信号が無いことを示す「入力信号なし」という文字列を表示したりした。しかし、選択されている画像入力端子３０ａに画像信号が入力されているか否かを、他の表示内容で表してもよい。例えば、所定のマークを表示したり、ロゴ画像の背景色を変更したりすることによって、画像入力端子３０ａに画像信号が入力されているか否か表してもよい。なお、選択されている画像入力端子３０ａに画像信号が入力されているか否かについては、ロゴ画像に必ずしも表示しなくてもよい。
【００５８】
（変形例６）上記実施形態では、プロジェクター１のシステムの初期化中にロゴ画像を表示するものとしたが、ロゴ画像の表示はシステムの初期化中に限定するものではない。例えば、システムの初期化に関わらず、プロジェクター１の起動後の所定の時間、ロゴ画像を表示するものとしてもよい。
【００５９】
（変形例７）上記実施形態では、記憶部２３から取得したロゴ画像データを画像処理部３２のフレームメモリーに入力して表示させるものとしたが、プロジェクター１の起動時にＯＳＤによる画像の表示が可能であれば、ＯＳＤ処理部３３によって、ロゴ画像を表示してもよい。この場合、ＯＳＤ用のロゴ画像データは、記憶部２３に記憶されてもよいし、ＯＳＤ処理部３３に記憶されてもよい。
【００６０】
（変形例８）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００６１】
（変形例９）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【００６２】
（変形例１０）上記実施形態では、プロジェクター１を例にして説明しているが、表示装置は、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、ＣＲＴ（陰極線管）ディスプレイ、ヘッドマウントディスプレイ等のディスプレイ装置、またはテレビ受像機等の自発光型の表示装置等に適用することも可能である。
【符号の説明】
【００６３】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、２２…光源制御部、２３…記憶部、２３ａ…選択入力端子情報、２３ｂ…ロゴ画像データ群、３０…画像信号入力部、３０ａ…画像入力端子、３１…入力信号検出部、３２…画像処理部、３３…ＯＳＤ処理部、ＳＣ…投写面。
【図１】
2015184298.tif 000003
【図２】
2015184298.tif 000004
【図３】
2015184298.tif 000005
【図４】
2015184298.tif 000006